(57)【特許請求の範囲】
【請求項１】
ベースと、そのベースに組み付けられた両サイドに立壁を有するベーススタンドと、そのベーススタンドの立壁後端上部で第一ピンで枢動可能に取り付けられ、ベースとの間でスプリングで上方に附勢されたステープルを収容するマガジンと、前記第一ピンで後端を枢支され、マガジンとの間でスプリングで上方に附勢されたハンドルと、そのハンドルの略中央の透孔から後端を外方へ突出させ、前端を前記立壁の前方上端で第二ピンで枢支されたレバーとを有し、マガジンの前端部には、ステープルを通過させるスリットを形成した一対のニードルを保持するホルダーを備え、そのホルダーの上方にはステープルを押圧するスピンドルを備え、そのスピンドルは上端をホルダーに保持され、そのホルダーはハンドルの前端裏面に形成された取り付け部に取り付けられていることを特徴とするステープラー。
【請求項２】
前記ベーススタンドの立壁は、ベースに形成されたスリットに嵌合されて突出され、ベーススタンドは複数個所でベースにねじで止着されていることを特徴とする請求項１に記載のステープラー。
【請求項３】
前記したレバーは下面にマガジンを押圧する押圧部材と、ハンドルの上面を押圧する押圧部を設けてあることを特徴とする請求項１または２に記載のステープラー。
【請求項４】
前記したマガジンは下方にステープルをガイドするレール部材が嵌め付けられていることを特徴とする請求項１から３のうち１つに記載のステープラー。
【請求項５】
前記したマガジンの後端にはステープルのアッセンブリを投入するための開閉用ノブが着脱自在に備えられていることを特徴とする請求項１から４のうち１つに記載のステープラー。
【請求項６】
前記した開閉用ノブにはスピンドルの後端が止着され、そのスピンドルの周域にはコイルスプリングが巻装され、そのコイルスプリングの先端にはステープルのアッセンブリをスプリングの力で押し搬送するフィーダーが備えられていることを特徴とする請求項５に記載のステープラー。
【請求項７】
前記したハンドルとマガジンの前方側の間隔はハンドル内側面のボスに嵌め付けられた弦巻バネで附勢される前面弧状としたカバーが前記したボスに後端を嵌め付けて備えられていることを特徴とする請求項１から６のうち１つに記載のステープラー。
【請求項８】
弦巻バネの一端は前記したスピンドルホルダーの取り付け部と係合されていることを特徴とする請求項７に記載のステープラー。
【請求項９】
前記したマガジンの前方にはニードルまでを覆うプロテクターが、その後端を前記した立壁に形成された係合孔に係合させて備えられていることを特徴とする請求項１から８のうち１つに記載のステープラー。
【請求項１０】
前記した立壁の前方下端は綴る対象となる紙束のストッパーとされていることを特徴とする請求項１から９のうち１つに記載のステープラー。
【発明の詳細な説明】
【技術分野】
【０００１】
本発明は、複数枚の紙葉束をステープルによって綴じるためのステープラーに関し、特にステープルとしてプラスチック製のものを採用するステープラーに関する。
【背景技術】
【０００２】
一般的に紙葉束を綴るステープルは金属製のものが使用され、その先端で紙葉束を突き刺し、先端を屈曲させて綴り状態とする。しかし、近時、書類の廃棄に際し、可燃性と不燃性のものを分別することが強要され、シュレッダーへの対応で金属製のステープルに代え、プラスチック製のものが提供されるようになっている。
【０００３】
しかしながら、プラスチック製のステープルはそれ自体の硬度から弱く、押圧力を加えても紙葉束を突き刺し、貫通することはできない。そのため、ステープルを通過させるスリットを形成した一対のニードルを使用し、そのニードルの上部開口から送り込まれたステープルをスピンドルで押しながら、ニードルによって紙葉束を貫通させる機構を出願人は開発した（特許文献１）。
【０００４】
この機構は紙葉束の枚数が数枚程度しか対応できず、実際に使用する時に、ステープルの収容されるマガジンと紙葉束を受けるベースとの平行性を保持することや、作動させるためのレバー等のいくつかの要素で操作性が良好といえない点があった。
【先行技術文献】
【特許文献】
【０００５】
【特許文献１】特開２００３−０００３１０号公報
【発明の概要】
【発明が解決しようとする課題】
【０００６】
本発明が解決しようとする問題点は、従来、プラスチック製のステープルを使用して、２０枚程度の紙葉束に対応でき、精度よく、使い勝手がよく、操作時に、複数のクリック感を得ることができるステープラーは存在していなかったという点である。
【課題を解決するための手段】
【０００７】
この問題点を解決するために、本発明に係るステープラーは、ベースと、そのベースに組み付けられた両サイドに立壁を有するベーススタンドと、そのベーススタンドの立壁後端上部で第一ピンで枢動可能に取り付けられ、ベースとの間でスプリングで上方に附勢されたステープルを収容するマガジンと、前記第一ピンで後端を枢支され、マガジンとの間でスプリングで上方に附勢されたハンドルと、そのハンドルの略中央の透孔から後端を外方へ突出させ、前端を前記立壁の前方上端で第二ピンで枢支されたレバーとを有し、マガジンの前端部には、ステープルを通過させるスリットを形成した一対のニードルを保持するホルダーを備え、そのホルダーの上方にはステープルを押圧するスピンドルを備え、そのスピンドルは上端をホルダーに保持され、そのホルダーはハンドルの前端裏面に形成された取り付け部に取り付けられていることを特徴としている。
【０００８】
また、本発明に係るステープラーは、前記ベーススタンドの立壁は、ベースに形成されたスリットに嵌合されて突出され、ベーススタンドは複数個所でベースにねじで止着されていることを特徴とし、前記したレバーは下面にマガジンを押圧する押圧部材と、ハンドルの上面を押圧する押圧部を設けてあることを特徴とし、前記したマガジンは下方にステープルをガイドするレール部材が嵌め付けられていることを特徴としている。
【０００９】
さらに、本発明に係るステープラーは、前記したマガジンの後端にはステープルのアッセンブリを投入するための開閉用ノブが着脱自在に備えられていることを特徴とし、前記した開閉用ノブにはスピンドルの後端が止着され、そのスピンドルの周域にはコイルスプリングが巻装され、そのコイルスプリングの先端にはステープルのアッセンブリをスプリングの力で押し搬送するフィーダーが備えられていることを特徴としている。
【００１０】
そして、本発明に係るステープラーは、前記したハンドルとマガジンの前方側の間隔はハンドル内側面のボスに嵌め付けられた弦巻バネで附勢される前面弧状としたカバーが前記したボスに後端を嵌め付けて備えられていることを特徴とし、弦巻バネの一端は前記したスピンドルホルダーの取り付け部と係合されていることを特徴とし、前記したマガジンの前方にはニードルまでを覆うプロテクターが、その後端を前記した立壁に形成された係合孔に係合させて備えられていることを特徴とし、前記した立壁の前方下端は綴る対象となる紙束のストッパーとされていることを特徴としている。
【発明の効果】
【００１１】
本発明に係るステープラーは上記のように構成されている。そのため、プラスチック製のステープルを使用して、ニードルにより紙葉束を刺し抜きステープルを貫通させ、綴る作業が、押圧力が増強されることで確実に実行され、多数枚の紙葉束に対応できる。プロテクターとベース間に形成される対象となる紙葉束の設置位置は、最大の紙葉束厚に対して平行に保持され、レバーを押しての操作は段階的なクリック感が得られ、作業ごとにその実行を確認することができるものとなっている。
【図面の簡単な説明】
【００１２】
【図１】本発明を実施したステープラーの一部破断した側面図である。
【図２】図１中のＡ−Ａ’線断面図である。
【図３】ハンドルの縦断面図である。
【図４】図３中のＣ−Ｃ’線断面図である。
【図５】図３中のＤ−Ｄ’線断面図である。
【図６】図３中のＦ−Ｆ’線断面図である。
【図７】レバーカバーの縦断面図である。
【図８】底面図である。
【図９】スピンドルホルダーを示す図である。
【図１０】底面図である。
【図１１】プロテクターを示す平面図である。
【図１２】側面図である。
【図１３】ニードルホルダーを示す図である。
【図１４】図１３中のＡ−Ａ’線断面図である。
【図１５】右側のニードルを示す正面図である。
【図１６】側面図である。
【図１７】図１６中のＡ−Ａ’線断面図である。
【図１８】ベースの縦断面図である。
【図１９】平面図である。
【図２０】ベーススタンドを示す図である。
【図２１】右側面図である。
【図２２】フィーダーを示す図である。
【図２３】側面図である。
【図２４】フィーダー用スピンドルを示す図である。
【図２５】図２４中Ａ矢視図である。
【図２６】図２４中Ｂ矢視図である。
【図２７】レバーの枢支ピンを示す図である。
【図２８】マガジンの縦断面図である。
【図２９】平面図である。
【図３０】ガイドレールを示す平面図である。
【図３１】側面図である。
【図３２】ノブを示す平面図である。
【図３３】縦断面図である。
【図３４】使用されるプラスチック製のステープルを示す図である。
【図３５】操作途中を示す図である。
【図３６】止着状態の一例を示す図である。
【発明を実施するための形態】
【００１３】
図面として示し、実施例で説明したように構成したことで実現した。
【実施例１】
【００１４】
次に、本発明の好ましい実施の一例を図面を参照して説明する。図中１２はベースを示しており、このベース１２は前方から後方にかけて、徐々に高さを小さくした板状体となっており、全体を握持した際に紙葉束を受け入れ易いように後方に向けてやや傾斜するものとしており、片手で綴る作業を行ない易くしている。
【００１５】
このベース１２は前方寄りの上面に後述するニードル１１、１１の先端を受け入れる受穴１２ａ、１２ａが形成されるとともに、中程から後方にかけてサイド寄りに平行の一対のスリット１２ｂ、１２ｂが形成され、そのスリット１２ｂ、１２ｂの中程外寄りには後述するベーススタンド１５の立壁に形成された係合用の切り起こし片を係合する係合用段部１２ｃ、１２ｃが形成されている。また、スリット１２ｂ、１２ｂ間には後述するマガジン２０（レール２１）との間で弾設されるコイルスプリング２２の下端を受ける受穴１２ｄが形成され、裏面にはベーススタンド１５をねじ１３で止着するためのねじ穴１２ｅ、１２ｅが形成され、ベーススタンド１５が嵌装される段部１２ｆが形成されている。
【００１６】
図中１５はベース１２の下面に嵌め付けられ、ねじ１３でベース１２に止着されるベーススタンドである。このベーススタンド１５は両サイドに合同形をした相対向する立壁１５ａ、１５ａが形成され、この立壁１５ａ、１５ａがベース１２のスリット１２ｂ、１２ｂに下方から挿入される。この立壁１５ａ、１５ａには外方に向けて切り起こし片１５ｂ、１５ｂが形成され、係合用段部１２ｃ、１２ｃと係合して抜け止めとなる。
【００１７】
この立壁１５ａ、１５ａは前方上部が突片となって形成されており、その突片部分の先端に、後述するレバー３の先端を枢支するピン１９の挿通孔１５ｃが穿設され、後端上部にはマガジン２０と後述するハンドル１を一体的に枢支するピン２４の挿通孔１５ｄが形成されている。また、前方寄り中程には後述するプロテクター９の後端を支持するスリット孔１５ｅが形成されている。尚、この立壁１５ａ、１５ａの前面下縁１５ｆは対象となる紙葉束をセットする際のストッパーとして作用するが、必要に応じ、この前面下縁１５ｆの位置は後方へずらすことも可能である。
【００１８】
一方、図中１はハンドルを示している。このハンドル１は前面が弧状に形成され、上面を膨出部としてあり、その膨出部の後部に、後述するレバー３の後部を外方へ突出させるための透孔１ａが形成されている。また、その透孔１ａの後方内面にはマガジン２０との間に弾設されるコイルスプリング２５の上端を受ける受穴１ｂが形成され、後端寄りの内壁面にマガジン２０と立壁１５ａ、１５ａと一体的に枢支するピン２４の端部受穴１ｃ、１ｃが形成されている。
【００１９】
また、膨出部の前方で上面内面には、後述するニードル１１、１１に挿通してステープルを押すスピンドル５のホルダー４の装着部１ｄが形成されている。この装着部１ｄは左右側壁内面に突出された対向する突片１ｅ、１ｅと上面内面に突出された一対の突片１ｆ、１ｆとより構成され、その突片１ｅ、１ｅ、１ｆ、１ｆ間にホルダー４を圧嵌入する構成となっている。
【００２０】
さらに、このハンドル１の前方寄り下方の内面には後述するカバー６の後端で弦巻バネ７により附勢するためのボス１ｇが基端周囲に環状溝を形成して設けられている。
【００２１】
図中３は操作用のレバーを、２はそのレバーの上面をカバーするレバーカバーを示している。レバー３は断面上向きコ字状をしており、その底面略中央には、ハンドル１から透孔１ａを通って外方へ突出される部分の基部に、ハンドル１の天面を押圧する半球状としたボッチ３ａが突出され、その前端寄り側面には立壁１５ａ、１５ａの透孔１５ｃ、１５ｃ、及びプロテクター９の透孔とピン１９で一体化枢支される透孔３ｂが形成されている。
【００２２】
レバーカバー２はレバー３の上面を覆うように装着され、レバー３のねじ穴２ａ、２ａに下方からねじを螺着することで一体的に止着される。このレバーカバー２の前方寄りの内面には先端をアール状とした一対の押圧片２ｂ、２ｂが一体的に垂設されており、この押圧片２ｂ、２ｂはレバー３の操作降下によって後述するマガジン２０の上面を押し、これを押し下げる作用をする。２ｃは押圧片２ｂ、２ｂ間に設けられた補強リブである。なお、この押圧片２ｂ、２ｂはスプリングで代替することもでき、押下げのタイミングを計ることもできる。スプリングとしてコイルのほか、板バネも使用可能で、ここにスプリングを使用すると前記したコイルスプリング２５を不要とできる。
【００２３】
図中２０はステープルのアッセンブリが収容されるマガジンであり、このマガジン２０は段面下向きコ字状とされ、その下面開放部にはレール部材２１が装着される。このマガジン２０の前方内部にはニードルホルダー１０の収納部２０ａが設けられ、この収納部２０ａの両側内面にはニードルホルダー１０の係合爪を受ける係合穴２０ｂが形成されている。また、収納部２０ａの上方外面にはニードル１１内に挿入される一対のスピンドル５の挿通ガイド２０ｃ、２０ｃが設けられるとともに、上方からニードルホルダー１０をねじ８で止着するためのねじ挿通孔２０ｄが穿設されている。
【００２４】
一方、マガジン２０の後方寄り上面両側には立壁１５ａ、１５ａ及びハンドル１と一体化枢支するピン２４を挿通する挿通孔２０ｅを穿設したブラケット２０ｆが一体に設けられている。また、そのブラケット２０ｆの後方には、後述するノブ２３の係合爪が係合されて着脱可能とされる係合孔２０ｇが穿設されている。さらに、下縁寄り側壁内面にはレール部材の係合爪が係合されてスナップイン装着されるための係合穴２０ｈ、２０ｈが形成され、レール部材２１と対応してステープルの搬送ガイドを形成する一対の平行した突条２０ｉが上面内側に垂設されている。
【００２５】
図中２１は、マガジン２０の下方からスナップイン装着されるレール部材であり、マガジン２０の係合穴２０ｈ、２０ｈと係合する係合片２１ａ、２１ａ‥が両側面に形成されている。また、上面にはマガジン２０の突条２０ｉ、２０ｉと対応してステープルの搬送ガイドを構成する平行した一対の突条２１ｂ、２１ｂが立設されている。さらに、その突条２１ｂ、２１ｂの中間には前方寄りにステープルの位置ずれを補正する突起２１ｃが突設されている。
【００２６】
図中２３は、マガジン２０とレール部材２１とによって構成されるステープルのアッセンブリの搬送路の後端開口を閉塞し、開放する開閉用ノブであり、このノブ２３を外すことで搬送路内へステープルのアッセンブリを投入収容することとなる。このノブ２３は上面に、先端を下方へ屈曲させて、マガジンの係合孔２０ｇへ係合させる係止突部２３ａを一体に形成したバネ性を有する係合片２３ｂを備えている。また、内面中央にはステープルのアッセンブリの搬送用のガイドとなるスピンドル１８の後端を嵌合止着する受穴２３ｃを形成するとともに、マガジン２０の後端受凹部２３ｄとレール部材２１の後端受凹部２３ｅが形成されている。このノブ２３は係合片２３ｂのバネ性を利用して係止突部２３ａをマガジン２０の係合孔２０ｇと着脱させる。
【００２７】
また、図中９は、マガジン２０及び後述するニードル１１の前方を覆い、怪我等を防止するためのプロテクターであり、このプロテクター９は前面板９ａと、その前面板９ａの両側縁から後方に延設された平行な一対の側板９ｂ、９ｂとより構成されている。この側板９ｂ、９ｂの後端には各々外方へ屈曲された係合片９ｃ、９ｃが一体に形成され、この係合片９ｃ、９ｃを立壁１５ａの係合孔１５ｅに係合することで止着する。
【００２８】
さらに、側板９ｂ、９ｂの上縁は一部膨出され、その膨出部分に立壁１５ａのピン１９の挿通孔１５ｃ、１５ｃと連通する挿通孔９ｃが穿設され、レバー３を枢支するピン１９を挿通することで、より一層立壁１５ａとの一体化を強めている。
【００２９】
図中６は前面をハンドル１の前面弧状と適合させ、そのハンドル１が沿って可動となる弧面としたカバーであり、このカバー６はその前面の両側縁から後方に向け、一対の扇形をした側板６ａを有している。この側板６ａの後端はハンドル１の内面に形成されたボス１ｇに嵌着され、そのボス１ｇの基端の環状溝に基部を嵌め付けられた弦巻バネ７の一端で側板６ａの上端を押さえられて位置決めされている。弦巻バネ７の他端はスピンドルホルダー４の装着部１ｄを形成する突片１ｅに掛けられ、カバー６を附勢している。
【００３０】
スピンドルホルダー４は略平板状に形成されており、その下部が、平行とし、上端を一体に連結したスピンドル５、５の基端の挿通部４ａとなっており、この挿通部４ａにはスピンドル５、５を通す透孔４ｂ、４ｂが、周囲を同心円状に膨らませて形成されている。スピンドル５、５の上端連結部は本体内に埋設される。
【００３１】
一対のスピンドル５、５はマガジン２０の上面に形成された挿通ガイド２０ｃ、２０ｃを挿通して、マガジン２０内のニードルホルダー１０に保持されている一対のニードル１１、１１の上部開口にその先端を対峙させている。
【００３２】
図中１０はニードルホルダーを示しており、このニードルホルダー１０には上下方向に平行して一対の左右のニードル１１、１１が貫通保持される挿通部１０ａ、１０ａが形成され、マガジン２０の装着部２０ａに装着される際に、マガジン２０の係合孔２０ｂ、２０ｂに係合止着される爪片１０ｂ、１０ｂが形成され、装着部２０ａの天面からねじ８で止着されるねじ穴１０ｃが穿設されている。また、１０ｄはステープルのフィーダーにおけるスピンドル１８の先端が当接される凹部である。
【００３３】
ニードル１１、１１は一対が左右対称となっており、図１５は右側となるニードル１１を示している。このニードル１１は左側のニードル１１と対向する面に上下に連通するスリット１１aが形成され、そのスリット１１ａと直角配置で上端にはホルダー１０にあって回転を抑止され、位置決めするためのストッパフランジ１１ｂが設けられている。
【００３４】
また、ニードル１１は相互に対向する方向に向けて、その先端を内側にやや屈曲させ、ステープルの係止ピンの戻り方向性を強制するようにしており、この先端部分で、スリット１１ａを形成する部分１１ｃは弧状に削いだ状態とし、ステープルの係止ピンの排出を容易化している。
【００３５】
図中１８はマガジン２０内に収容され、後端１８ａをノブ２３の受穴２３ｃに嵌着して支持されるスピンドルであり、このスピンドル１８の周囲にはフィーダー１７を附勢するコイルスプリング１６が巻装されている。１８ｂは、そのコイルスプリング１６の後端を受けるストッパーである。また、１８ｃはスピンドル１８の先端で、ニードルホルダー１０の凹部１０ｄ内に挿入され、当接される先端フランジである。
【００３６】
さらに、図中１７はスピンドル１８を中心孔１７ａに挿通して、そのスピンドル１８に沿い、コイルスプリング１６で前方へ附勢され、収納されたステープルのアッセンブリを押し送りするフィーダーである。このフィーダー１７は平面的に略Ｈ字状をしており、左右の、ステープルの係止ピンを押圧する平行な押圧片１７ｂ、１７ｂとその押圧片１７ｂ、１７ｂの中心で一体化する連結部１７ｃとより成り、この連結部１７ｃの中央に中心孔１７ａが形成されている。押圧片１７ｂ、１７ｂはその前端でステープルを押し、後端でコイルスプリング１６の附勢力を受けるものとなっている。
【００３７】
また、図３４として示す１００は使用するプラスチック製ステープルの一例を示す。このステープル１００は左右に一対の係止ピン１２０、１２０を有し、その係止ピン１２０、１２０をフィラメント１１０で一体に連結してあるもので、係止ピン１２０、１２０の一部は脆弱な接続ピン１３０、１３０で図において前方、奥行方向に連続されたアッセンブリとして供給される。このステープル１００はニードル１１、１１のスリット１１ａ、１１ａに係止ピン１２０、１２０が送り込まれると、ニードル１１、１１の上方からスピンドル５によって押圧され、接続ピン１３０、１３０は切断されて単品として供給される。
【００３８】
係止ピン１２０、１２０はニードル１１、１１内で押されながら下降し、ニードル１１、１１の先端が紙葉束Ｐを通過した時に、そのニードル１１の形状で強制的に屈曲されて紙葉束Ｐの裏面で横向きとなり、フィラメント１１０との間で紙葉束Ｐを綴り込むこととなる。ここで、示すステープル１００はあくまでも一例であり、フィラメント１１０の位置や接続ピン１３０、１３０の位置などはこだわるものではない。
【００３９】
ここで、本実施例に係るステープラーの使用方法とその作用について説明する。まず、綴じようとする目的の紙葉束Ｐをベース１２の前方上面とプロテクター９との間のスペースにセットする。その際、このスペースの高さは、綴じることの可能な紙葉束Ｐの厚さを想定してあり、挿し込み奥行きも立壁１５ａの前縁のストッパー１５ｆで制約されるが、このストッパー１５ｆはないものとしたり、スリットを形成する等して、制約のない機構とすることもできる。
【００４０】
この状態でステープル１００はニードル１１、１１のスリット１１ａ、１１ａ内にスプリング１６で附勢されたフィーダー１７によって送り込まれており、レバー３のハンドル１から突出された遊端をピン１９を枢動軸として押し下げると、まず、レバー３に形成されたボッチ３ａがハンドル１の上面を押し、スプリング２５の附勢力に抗してハンドル１を押し下げる。次いで、スピンドルホルダー４の頭部もハンドル１の装着部１ｄが押し、スピンドル５、５をガイド２０ｃからニードル１１の上部開口へ挿入していく。この際、ハンドル１の前面板の内面をカバー６の前面に沿わせて下降していく。
【００４１】
また、レバー３の押し下げ力は、押圧片２ｂ、２ｂを介して、マガジン２０の上面を押し、マガジン２０をスプリング２２の附勢力に抗して押し下げる。このマガジン２０の下降に伴って、ニードルホルダー１０に取り付けられたニードル１１、１１も下降していき、紙葉束Ｐに突き刺さる。尚、押圧片２ｂ、２ｂは前記したようにスプリングでの代替もできる。
【００４２】
さらに、強くレバー３を押し下げると、ニードル１１、１１は紙葉束Ｐを通過して、その先端がベース１２の受穴１２ａ、１２ａに入り、紙葉束Ｐを貫通する。続いて、スピンドル５、５で押し下げられたステープル１００は係止ピン１２０、１２０がニードル１１、１１の形状に沿って屈曲され、紙葉束Ｐの裏面側でフィラメント１１０と平行状態となって排出され、この係止ピン１２０、１２０とフィラメント１１０によって紙葉束Ｐを綴ることとなる。このレバー３の押し下げ作業は複数のスプリング２５、２２、あるいは押圧部材として押圧片２ｂ、２ｂに代わるスプリングが介在されて増強され、２０枚程度の厚さがある紙葉束Ｐも十分にニードル１１、１１を通過させるパワーを得ることができる。
【００４３】
また、ステープル１００のアッセンブリは、マガジン２０の後部開口に取り付けられたノブ２３を外し、ノブ２３とともにスピンドル１８、コイルスプリング１６及びフィーダー１７を引き出し、レール部材２１とともに形成された搬路に投入収容される。ステープル１００のアッセンブリを収容後に、スピンドル１８、コイルスプリング１６及びフィーダー１７をマガジン２０内に挿し込み、スプリング１６の附勢力に抗して、これを圧縮させて、再びノブを装着ロックすることでスタンバイ状態とできる。
【産業上の利用可能性】
【００４４】
本実施例に係るステープラーは上記のように構成されている。この実施例では片手で操作するハンディ型のものを想定しているが、各パーツを大型化することで、卓上載置型タイプのものとすることも可能である。
【符号の説明】
【００４５】
１    ハンドル
１ｄ  装着部
２    レバーカバー
２ｂ  押圧片
３    レバー
３ａ  ボッチ
４    スピンドルホルダー
５    スピンドル
６    カバー
７    弦巻バネ
８    ねじ
９    プロテクター
１０  ニードルホルダー
１１  ニードル
１１ａ  スリット
１２  ベース
１２ａ  受穴
１２ｄ  受穴
１３  ねじ
１５  ベーススタンド
１５ａ  立壁
１６  コイルスプリング
１７  フィーダー
１８  スピンドル
１９  枢支ピン
２０  マガジン
２１  レール部材
２２  コイルスプリング
２３  ノブ
２４  枢支ピン
２５  コイルスプリング
１００  ステープル
１１０  フィラメント
１２０  係止ピン
Ｐ    紙葉束
【図１】
0005863485.tif 000002
【図２】
0005863485.tif 000003
【図３】
0005863485.tif 000004
【図４】
0005863485.tif 000005
【図５】
0005863485.tif 000006
【図６】
0005863485.tif 000007
【図７】
0005863485.tif 000008
【図８】
0005863485.tif 000009
【図９】
0005863485.tif 000010
【図１０】
0005863485.tif 000011
【図１１】
0005863485.tif 000012
【図１２】
0005863485.tif 000013
【図１３】
0005863485.tif 000014
【図１４】
0005863485.tif 000015
【図１５】
0005863485.tif 000016
【図１６】
0005863485.tif 000017
【図１７】
0005863485.tif 000018
【図１８】
0005863485.tif 000019
【図１９】
0005863485.tif 000020
【図２０】
0005863485.tif 000021
【図２１】
0005863485.tif 000022
【図２２】
0005863485.tif 000023
【図２３】
0005863485.tif 000024
【図２４】
0005863485.tif 000025
【図２５】
0005863485.tif 000026
【図２６】
0005863485.tif 000027
【図２７】
0005863485.tif 000028
【図２８】
0005863485.tif 000029
【図２９】
0005863485.tif 000030
【図３０】
0005863485.tif 000031
【図３１】
0005863485.tif 000032
【図３２】
0005863485.tif 000033
【図３３】
0005863485.tif 000034
【図３４】
0005863485.tif 000035
【図３５】
0005863485.tif 000036
【図３６】
0005863485.tif 000037